(57)【特許請求の範囲】
【請求項１】
それぞれに固有のパスワード及びＩＤコードが設定された複数のトランスポンダに対してコントロールユニットからＩＤコード要求信号を伝送して、該ＩＤコード要求信号を受信したトランスポンダから返送されるＩＤコードを読み取るトランスポンダのＩＤコード読み取り方法において、
最初にＩＤコード要求信号を前記トランスポンダに伝送し、そのＩＤコード要求信号を受信したトランスポンダから返送されるＩＤコードがコントロールユニットで正しく読み取れない場合、次回は特定のパスワードを伝送し、そのパスワードを有するトランスポンダから返送されるＩＤコードを読み取ることを特徴とするトランスポンダのＩＤコード読み取り方法。
【請求項２】
それぞれに固有のパスワード及びＩＤコードが設定されたトランスポンダと、該トランスポンダにＩＤコード要求信号を伝送して、該ＩＤコード要求信号を受信したトランスポンダから返送されるＩＤコードを読み取り、その読み取ったＩＤコードが正規の登録ＩＤコードに一致するか否かを判断してアクチュエータの駆動を制御するコントロールユニットとを備えた盗難防止装置において、
前記コントロールユニットは、最初にＩＤコード要求信号を前記トランスポンダに伝送し、そのＩＤコード要求信号を受信したトランスポンダから返送されるＩＤコードが登録ＩＤコードに一致するか否かを判断し、判断できなかった場合、次回は特定のパスワードを伝送し、そのパスワードを有するトランスポンダから返送されるＩＤコードを読み取り、登録ＩＤコードに一致するか否かを判断することを特徴とする盗難防止装置。
【発明の詳細な説明】
【０００１】
【発明の属する技術分野】
本発明は、個々にＩＤコードが設定された複数のトランスポンダからの特定のＩＤコードを読み取る方法及びそれを用いた盗難防止装置に関するものである。
【０００２】
【従来の技術】
この種の従来の装置を図５及び図７に基づいて以下に説明する。
すなわち、キーシリンダ５１には、キー５２の先端部５２ａが挿入される孔５３が形成され、またこのキーシリンダ５１は円環状のロータケース５４を備え、このロータケース５４内には円柱状のロータ５５が回転自在に装着されている。
【０００３】
ロータ５５には、キーシリンダ５１の孔５３と連通したキー差込口５６が形成されている。また、ロータ５５の外周のロータケース５４内には円環状コア５７が配置され、円環状コア５７の一部が前記キー差込口５６の入り口側に露出している。この円環状コア５７には図７に示すように車両側コイル５８，５９が同一方向に巻回され、前記キー５２のキー回転軸Ｘ−Ｘに対し、直行する方向に誘導磁界を発生させる。
【０００４】
他方、前記キー５２のグリップ部５２ｂには、前記円環状コア５７と磁気回路を形成する軸状コア６０が装着され、この軸状コア６０には車両側コイル５８，５９と磁気結合されるキー側コイル６１が巻回されている。キー側コイル６１には、コンデンサＣ１とコイルＬ１とからなる直列共振回路Ｋ１が接続され、この直列共振回路Ｋ１にはコンデンサＣ２とコイルＬ２とからなる直列共振回路Ｋ２が並列接続されている。
【０００５】
次に、動作説明を行う。
今、キーシリンダ５１のキー差込口５６からキー５２を差し込むと、図示されないコントローラ側から車両側コイル５８，５９にＩＤコード検出用の周波数信号が供給される。この信号は正弦波信号で所定の範囲で低い周波数から高い周波数へ変化していく。キー側コイル６１は円環状コア５７と軸状コア６０を介してこのＩＤコード検出用の周波数信号を受信し、この受信信号の周波数が直列共振回路Ｋ１，Ｋ２のいずれかの共振周波数ｆ１，ｆ２に一致すると、キー側コイル６１に流れる電流が増加する。
【０００６】
そして、この電流増加による共振周波数ｆ１，ｆ２を車両側コイル５８，５９で検出し、コントローラはこの検出した共振周波数ｆ１，ｆ２に基づいてキー５２に設定されたＩＤコードを読み取り、そのＩＤコードと、コントローラのＲＯＭ（図示せず）に記憶された車両側の登録ＩＤコードとが一致しているか否かを判断し、一致したときのみエンジン始動を許可する信号を出力してエンジンを始動可能にする。
【０００７】
図８及び図９は上記の従来例とは異なるもので、車両側コイル７１は、円筒状ボビン７２の外周面形状の環状凹溝内にコイル線を所定のターン数巻き付けて構成されたものであり、この車両側コイル７１の両端部７１ａ，７１ｂは円筒状ボビン７２と一体成形された端子部７２ａにおいて、リード線７３ａ，７３ｂを介して車両側電気回路と接続されている。
【０００８】
この端子部７２ａは、図１０に示されるように円筒状ボビン７２をキーシリンダ７４に挿入することによって、シリンダ軸、つまりキー回転軸Ｘ−Ｘと平行になり、かつキーシリンダ７４の取り付け基部方向に延長される。そして、円筒状ボビン７２は、キーシリンダ７４のキー差込口７４ａ側の外周に係合して取り付けられる。従って、車両側コイル７１から発生する誘導磁界はキー回転軸Ｘ−Ｘと平行に発生する。
【０００９】
【発明が解決しようとする課題】
しかしながら、上述したような盗難防止装置において、図１０に示すように、キー５２，７５，７６のキー差し込み口５６，７４ａへの差し込み後に、車両側コイル７１とトランスポンダ７５ａとが電磁結合されて給電回路７８から給電された車両側コイル７１から発生する誘導磁界は、キー回転軸Ｘ−Ｘと平行に、かつ車両側コイル７１近傍に発生する。
【００１０】
そのために、例えば図１０に示すようにキーホルダ７７に複数のキー７５，７６が取付けられている場合に、キーシリンダ７４が水平に取付けられずに、図示されるように斜めに取付けられていると、車両側コイル７１から発生する誘導磁界内にそれらのキー７５，７６に内蔵された複数のキー側コイル７５ｂ，７６ｂが位置しやすくなり、これらのキー側コイル７５ｂ，７６ｂが車両側コイル７１と互いに電磁結合がされやすくなる。
【００１１】
その結果、車両側コイル７１に対してメモリ８０に記憶されたＩＤコード要求信号が送信された場合に、車両側コイル７１はこれらのキー７５，７６のトランスポンダ７５ａ，７６ａのそれぞれから送信される異なるＩＤコードを同時に受信することになり、ＩＤコード情報受信解読回路７９ではそのＩＤコードの解読に混同を生じ、解読不能になるという課題があった。なお、ＩＤコード情報受信解読回路７９は、受信したＩＤコードが登録ＩＤコードと一致した場合には、エンジン始動を許可するエンジン始動信号を出力する。
【００１２】
そこで、この発明は、キーホルダに複数のキーが取り付けられていた場合でも速く、または確実に照合ができるようにすることを目的とする。
【００１３】
【課題を解決するための手段】
第１の発明のトランスポンダのＩＤコード読み取り方法は、複数のトランスポンダにコントローラユニットからパスワード要求信号及びＩＤコード要求信号を伝送して、該特定のトランスポンダからパスワード、ＩＤコードを読み取るトランスポンダのＩＤコード読み取り方法において、最初ＩＤコード要求信号を前記複数のトランスポンダに伝送し、それに対してトランスポンダから返送されるＩＤコードがコントローラユニットで正しく読み取れない場合、パスワード要求信号を伝送し、それに対して返送されるＩＤコードを読み取る方法である。
【００１４】
第２の発明の盗難防止装置は、個々にパスワード及びＩＤコードが設定されたトランスポンダと、該トランスポンダにＩＤコード要求信号を伝送して、該特定のトランスポンダから伝送されるＩＤコードを読み取るコントロールユニットとを備えた盗難防止装置において、前記コントロールユニットは、最初ＩＤコード要求信号を前記トランスポンダに伝送し、それに対してトランスポンダから返送されるＩＤコードに基づいて前記トランスポンダが正規のものか否かを判断し、判断できなかった場合、パスワード要求信号を伝送し、それに対して返送されるＩＤコードを読み取り、判断する装置である。
【００１５】
【発明の実施の形態】
この発明の実施の形態を以下に説明する。
実施の形態１．
図１において、図１０に示した構成のものと同一、または均等なものには同一符号を付して、詳細説明は省略し、異なる部分、すなわちＩＤコード情報受信解読回路７９’、及び給電回路７８’のプログラム処理部分について、図２及び図３に示すフローチャートに基づいて以下に説明する。なお、メモリ８０には図４に示されるように、例えば５種類のキー（キー１、キー２、キー３、キー４、キー５）のパスワードとＩＤコードとが記憶されている。
すなわち、
（１）キー１のパスワードはＡ、ＩＤコードはａｂｃｄｅ
（２）キー２のパスワードはＢ、ＩＤコードはｂｃｄｅｆ
（３）キー３のパスワードはＣ、ＩＤコードはｃｄｅｆｇ
（４）キー４のパスワードはＤ、ＩＤコードはｄｅｆｇｈ
（５）キー５のパスワードはＥ、ＩＤコードはｅｆｇｈｉ
と設定、記憶されている。
【００１６】
そこで、図１において破線で囲まれた車両側電気回路の電源が投入されると、その車両側電気回路のプログラム処理の部分が、図３に示すようにステップ１００からステップ１１０に進み、キー７５がキーシリンダ７４のキー差込口７４ａに挿入され、図示されないキースイッチがオンされたことが検出されるのを待つ。
【００１７】
ステップ１１０において、時刻Ｔ１にキースイッチのオンが検出されると（図２のキーＳＷに相当）、ステップ１２０に進み、時刻Ｔ１からＴａ時間後に給電回路７８’に対してＴｂ時間の間、車両側コイル７１を励磁するための周波数信号の出力を行うことによって、車両側コイル７１に一定周波数の電磁が供給され、車両側コイル７１から誘導磁界を発生させる。その結果Ｔｂ時間の間、トランスポンダ７５ａ（又は７６ａ）は充電される。
【００１８】
Ｔｂ時間が経過して充電が終了すると、次のステップ１３０に進み、次のＴｃ時間の間、車両側コイル７１に対してＩＤコード要求信号を出力し、該車両用コイル７１からそのＩＤコード要求信号を示す誘導磁界を発生させる。そのために、メモリ８０からＩＤ要求信号を読み取り、そのＩＤコード要求信号に相当する誘導磁界を車両側コイル７１から出力させ、その後、ステップ１４０に進む。なお、このステップ１３０においては、キー１のパスワード要求信号「Ａ」は出力しない。
【００１９】
ステップ１４０において、ＩＤコード情報受信解読回路７９’は、トランスポンダ７５ａ（又は７６ａ）から返送されるＩＤコードを受信（図２のＴｄ時間の間）し、ステップ１５０に進み、受信した結果が、トランスポンダ７５ａ（又は７６ａ）のうちの一方からの、例えばキー１のＩＤコード「ａｂｃｄｅ」を示すＩＤコードのみが返送されてきたものである場合には、通常時にはＩＤコードを混同することなく読み取ることができるので、ステップ１６０に進み、読み取ったＩＤコードが登録されている正規ＩＤコードと照合されて、正規ＩＤコードであると検定されればステップ１７０に進み、メインの本プログラム、例えばエンジン始動制御のためのプログラムが作動されて、それが終了するとステップ１８０に進み、終了する。また、ステップ１６０において、正規ＩＤコードでないと検定されるとステップ１１０に戻り、再度上記各ステップを繰り返す。すなわち２回目の読み取りに入る。この繰り返しは、例えば３回までで、それ以降は行なわない。
【００２０】
ステップ１５０において、双方のトランスポンダ７５ａ及び７６ａから、例えばキー１のＩＤコード「ａｂｃｄｅ」と、キー２のＩＤコード「ｂｃｄｅｆ」を示す信号が同時に返送されてきた場合には、ＩＤコードが混同して解読できないと判断され、ステップ１９０に進み、図２における２回目の読み取りステップに入る。
【００２１】
すなわち、ステップ１９０においては、ステップ１２０と同様にＴｂ時間の間、車両側コイル７１から誘導磁界を発生させ、トランスポンダ７５ａ（又は７６ａ）を充電する。
【００２２】
その後、ステップ２００に進み、次の時間Ｔｆの間、車両側コイル７１から、例えばメモリ８０の先頭アドレスに記憶されたキー１のパスワード「Ａ」を示す信号に相当する誘導磁界を発生させるために、メモリ８０に対して、まずキー１のパスワード「Ａ」の出力を指示し、ステップ２１０に進む。
【００２３】
そして、ステップ２１０で、時間Ｔｄの間にトランスポンダ７５ａ（又は７６ａ）から返送されるＩＤコードを受信し、次のステップ２２０で、その受信したＩＤコードが正規のものか否かを判断し、いずれかが正しいと検定されない場合には、ステップ１９０に戻り、正規のＩＤコードが検定されるまで図４におけるキー５までを順番に実行する。なお、図２における、時間Ｔｅは１回目と２回目、２回目と３回目等の読み取りを区別するための空白区間である。
【００２４】
【発明の効果】
第１の発明によれば、キーホルダに複数本のキーを取付けて携帯していても短時間に、かつ確実にＩＤコードの読み取りを行うことができる方法が得られる。
第２の発明によれば、複数本のキーをキーホルダーに取付けた状態で、キーをシリンダに差し込んでも短時間に、かつ確実にＩＤコードの照合を行うことができ、操作性を向上できる。
【図面の簡単な説明】
【図１】本発明による盗難防止装置の回路ブロック説明図である。
【図２】図１に示したものの作動を説明するタイミングチャートである。
【図３】図１に示したものの作動を説明するフローチャートである。
【図４】図１及び図５におけるメモリ８０に記憶されるパスワード、ＩＤコードを説明する図である。
【図５】キーシリンダのキー差込口を示す正面図である。
【図６】従来の第１の車両用キー装置を示す縦断面図である。
【図７】図６における車両用キー装置における車両コイルを示す斜視図である。
【図８】従来の第２の車両用キー装置における車両側コイルを示す正面図である。
【図９】図８における車両側コイルを示す側面図である。
【図１０】キーシリンダに対するキー差込状態を示す側面図である。
【符号の説明】
５１，７４  キーシリンダ
７１  車両側コイル
７５ａ，７６ａ  トランスポンダ
７５ｂ，７６ｂ  キー側コイル
７８，７８’  給電回路
７９，７９’  ＩＤコード情報受信解読回路
８０  メモリ
【図１】
0004008141.tif 000002
【図２】
0004008141.tif 000003
【図３】
0004008141.tif 000004
【図４】
0004008141.tif 000005
【図５】
0004008141.tif 000006
【図６】
0004008141.tif 000007
【図７】
0004008141.tif 000008
【図８】
0004008141.tif 000009
【図９】
0004008141.tif 000010
【図１０】
0004008141.tif 000011